(57)【要約】【課題】  ユーザにとって重要な情報である文字スーパーインポーズ情報をとり逃さずユーザに提示することができるデジタルテレビジョン放送受信機を提供する。【解決手段】  デジタルテレビジョン放送受信機２０が、文字スーパーインポーズデータを受信した際、受信された文字スーパーインポーズデータを画面合成によりディスプレイ１６に表示するとともに、その表示に連動して、当該文字スーパーインポーズデータをスピーカ１４にて音声読み上げする処理を実行する。また、受信機２０は、受信された文字スーパーインポーズデータを、必要に応じて、ＲＡＭ３８に蓄積して、後に利用する処理を実行する。【選択図】      図１
2007081930.tif 000002
【特許請求の範囲】
【請求項１】
文字スーパーインポーズデータを受信する受信手段と、
前記受信手段によって受信された文字スーパーインポーズデータを画面合成により表示する表示手段と、
前記表示手段による表示に連動して、当該文字スーパーインポーズデータを音声読み上げする音声読み上げ手段と、
を具備することを特徴とするデジタルテレビジョン放送受信機。
【請求項２】
前記音声読み上げ手段は、音声読み上げ時にバックの音声を消して読み上げる、請求項１に記載のデジタルテレビジョン放送受信機。
【請求項３】
前記音声読み上げ手段は、当該文字スーパーインポーズデータが関連地域情報であるときにのみ音声読み上げを実行する、請求項１に記載のデジタルテレビジョン放送受信機。
【請求項４】
文字スーパーインポーズデータを受信する受信手段と、
前記受信手段によって受信された文字スーパーインポーズデータを画面合成により表示するとともに、当該文字スーパーインポーズデータが日本語によるデータ及び英語によるデータを含む場合、当該日本語によるデータ及び英語によるデータの双方を画面合成により表示する表示手段と、
を具備することを特徴とするデジタルテレビジョン放送受信機。
【請求項５】
前記表示手段による表示に連動して、当該文字スーパーインポーズデータを音声読み上げするとともに、当該文字スーパーインポーズデータが日本語によるデータ及び英語によるデータを含む場合、左チャネル又は右チャネルの一方で日本語によるデータを読み上げかつ他方で英語によるデータを読み上げる音声読み上げ手段を更に具備する、請求項４に記載のデジタルテレビジョン放送受信機。
【請求項６】
文字スーパーインポーズデータを受信する受信手段と、
前記受信手段によって受信された文字スーパーインポーズデータを画面合成により表示する表示手段と、
前記受信手段によって受信された文字スーパーインポーズデータを蓄積する蓄積手段と、
を具備することを特徴とするデジタルテレビジョン放送受信機。
【請求項７】
前記蓄積手段は、ユーザによって設定されたジャンルの文字スーパーインポーズデータのみを蓄積する、請求項６に記載のデジタルテレビジョン放送受信機。
【請求項８】
前記蓄積手段は、有効期限情報を付加して文字スーパーインポーズデータを蓄積し、前記蓄積手段によって蓄積された文字スーパーインポーズデータのうち有効期限が過ぎたものを自動的に削除する手段を更に具備する、請求項６に記載のデジタルテレビジョン放送受信機。
【請求項９】
文字スーパーインポーズについての設定を記憶する手段と、
字幕についての設定を記憶する手段と、
文字スーパーインポーズ又は字幕の一方について設定がなされて記憶される場合に、連動して他方についても同一の設定が記憶されるように制御する手段と、
を具備することを特徴とするデジタルテレビジョン放送受信機。
【請求項１０】
文字スーパーインポーズデータを受信する受信手段と、
ディスプレイと、
前記ディスプレイがデジタルテレビジョン放送受信内容を提示するモードにない場合において、前記受信手段によって文字スーパーインポーズデータが受信されたとき、該ディスプレイに対して該文字スーパーインポーズデータを割り込み表示させる手段と、
を具備することを特徴とするデジタルテレビジョン放送受信機。
【請求項１１】
文字スーパーインポーズデータを受信する受信手段と、
前記受信手段によって受信された文字スーパーインポーズデータを、ディスプレイサイズに応じて文字の大きさを自動調整しつつ画面合成により表示する表示手段と、
を具備することを特徴とするデジタルテレビジョン放送受信機。
【請求項１２】
文字スーパーインポーズデータを受信する受信手段と、
前記受信手段によって受信された文字スーパーインポーズデータを音声読み上げする音声読み上げ手段と、
を具備することを特徴とするデジタルテレビジョン放送受信機。
【発明の詳細な説明】
【技術分野】
【０００１】
本発明は、デジタルテレビジョン放送受信機に関する。
【背景技術】
【０００２】
近年、情報技術の発展を背景に、衛星波、地上波、ケーブルなどによるデジタルテレビジョン放送システムの開発が急速に進んできている。放送されるコンテンツがデジタル情報となることで、視聴者は、高品質のマルチメディア情報を受信して利用することができるようになる。
【０００３】
ところで、車載用のデジタルテレビジョン放送受信機では、画面を常時注視することが困難となる。そのため、ユーザにとって重要な情報である文字スーパーインポーズ情報をとり逃さずユーザに提示する機能を備える受信機が要望されている。
【０００４】
なお、デジタルテレビジョン放送受信機に関する先行技術文献として、下記特許文献１は、走行中に文字放送を受信して停車後に表示する受信機を開示している。また、下記特許文献２は、スピーカと画面の字幕とにそれぞれ異なる音声情報を出力する受信機を開示している。また、下記特許文献３は、主音声又は副音声を文字に変換して字幕として表示する受信機を開示している。
【０００５】
【特許文献１】特開平５−３００４８４号公報
【特許文献２】特開平５−５６３６９号公報
【特許文献３】特開２０００−１２５２２０号公報
【発明の開示】
【発明が解決しようとする課題】
【０００６】
本発明は、上述した問題点に鑑みてなされたものであり、その目的は、ユーザにとって重要な情報である文字スーパーインポーズ情報をとり逃さずユーザに提示することができるデジタルテレビジョン放送受信機を提供することにある。
【課題を解決するための手段】
【０００７】
上記目的を達成するために、本発明によれば、文字スーパーインポーズデータを受信する受信手段と、前記受信手段によって受信された文字スーパーインポーズデータを画面合成により表示する表示手段と、前記表示手段による表示に連動して、当該文字スーパーインポーズデータを音声読み上げする音声読み上げ手段と、を具備することを特徴とするデジタルテレビジョン放送受信機が提供される。
【０００８】
一つの好適な態様では、前記音声読み上げ手段は、音声読み上げ時にバックの音声を消して読み上げる。
【０００９】
一つの好適な態様では、前記音声読み上げ手段は、当該文字スーパーインポーズデータが関連地域情報であるときにのみ音声読み上げを実行する。
【００１０】
一実施形態では、前記音声読み上げ手段は、関連ジャンルの文字スーパーインポーズデータのみピックアップして音声読み上げを実行する。
【００１１】
また、本発明によれば、文字スーパーインポーズデータを受信する受信手段と、前記受信手段によって受信された文字スーパーインポーズデータを画面合成により表示するとともに、当該文字スーパーインポーズデータが日本語によるデータ及び英語によるデータを含む場合、当該日本語によるデータ及び英語によるデータの双方を画面合成により表示する表示手段と、を具備することを特徴とするデジタルテレビジョン放送受信機が提供される。
【００１２】
一つの好適な態様では、前記表示手段による表示に連動して、当該文字スーパーインポーズデータを音声読み上げするとともに、当該文字スーパーインポーズデータが日本語によるデータ及び英語によるデータを含む場合、左チャネル又は右チャネルの一方で日本語によるデータを読み上げかつ他方で英語によるデータを読み上げる音声読み上げ手段を更に具備する。
【００１３】
また、本発明によれば、文字スーパーインポーズデータを受信する受信手段と、前記受信手段によって受信された文字スーパーインポーズデータを画面合成により表示する表示手段と、前記受信手段によって受信された文字スーパーインポーズデータを蓄積する蓄積手段と、を具備することを特徴とするデジタルテレビジョン放送受信機が提供される。
【００１４】
一実施形態では、前記蓄積手段によって蓄積された文字スーパーインポーズデータを削除する削除手段を更に具備する。
【００１５】
一実施形態では、前記蓄積手段によって蓄積された文字スーパーインポーズデータをテキストデータとして提示する提示手段を更に具備する。
【００１６】
一実施形態では、前記蓄積手段によって蓄積された文字スーパーインポーズデータを音声読み上げする音声読み上げ手段を更に具備する。
【００１７】
一つの好適な態様では、前記蓄積手段は、ユーザによって設定されたジャンルの文字スーパーインポーズデータのみを蓄積する。
【００１８】
一実施形態では、前記蓄積手段は、ジャンルごとに分類して文字スーパーインポーズデータを蓄積する。
【００１９】
一実施形態では、前記蓄積手段は、日時情報を付加して文字スーパーインポーズデータを蓄積する。
【００２０】
一つの好適な態様では、前記蓄積手段は、有効期限情報を付加して文字スーパーインポーズデータを蓄積し、前記蓄積手段によって蓄積された文字スーパーインポーズデータのうち有効期限が過ぎたものを自動的に削除する手段を更に具備する。
【００２１】
一実施形態では、前記蓄積手段によって蓄積された文字スーパーインポーズデータのうち有効期限が過ぎたものについてその存在をユーザに報知する手段を更に具備する。
【００２２】
一実施形態では、前記蓄積手段によって蓄積された文字スーパーインポーズデータに対しキーワードに基づいて検索する手段を更に具備する。
【００２３】
また、本発明によれば、文字スーパーインポーズについての設定を記憶する手段と、字幕についての設定を記憶する手段と、文字スーパーインポーズ又は字幕の一方について設定がなされて記憶される場合に、連動して他方についても同一の設定が記憶されるように制御する手段と、を具備することを特徴とするデジタルテレビジョン放送受信機が提供される。
【００２４】
また、本発明によれば、文字スーパーインポーズデータを受信する受信手段と、ディスプレイと、前記ディスプレイがデジタルテレビジョン放送受信内容を提示するモードにない場合において、前記受信手段によって文字スーパーインポーズデータが受信されたとき、該ディスプレイに対して該文字スーパーインポーズデータを割り込み表示させる手段と、を具備することを特徴とするデジタルテレビジョン放送受信機が提供される。
【００２５】
また、本発明によれば、文字スーパーインポーズデータを受信する受信手段と、前記受信手段によって受信された文字スーパーインポーズデータを、ディスプレイサイズに応じて文字の大きさを自動調整しつつ画面合成により表示する表示手段と、を具備することを特徴とするデジタルテレビジョン放送受信機が提供される。
【００２６】
また、本発明によれば、文字スーパーインポーズデータを受信する受信手段と、前記受信手段によって受信された文字スーパーインポーズデータを音声読み上げする音声読み上げ手段と、を具備することを特徴とするデジタルテレビジョン放送受信機が提供される。
【発明の効果】
【００２７】
本発明によるデジタルテレビジョン放送受信機によれば、ユーザにとって重要な情報である文字スーパーインポーズ情報が、とり逃されることなく、ユーザに提示されることが可能となる。
【発明を実施するための最良の形態】
【００２８】
以下、添付図面を参照して、本発明の実施形態について、特に車載用受信機を例にして説明する。図１は、本発明によるデジタルテレビジョン放送受信機のハードウェア構成例をその周辺機器とともに示すブロック図である。同図において、符号１０はアンテナ、符号１２は操作器（リモコン等）、符号１４はスピーカ、符号１６はディスプレイ、符号１８はナビゲーションシステム、符号２０はデジタルテレビジョン放送受信機、をそれぞれ示す。
【００２９】
また、図１に示されるように、デジタルテレビジョン放送受信機２０は、その内部に、チューナ２２、ＯＦＤＭ（Orthogonal Frequency Division Multiplexing、直交周波数分割多重）復調器２４、ＴＳ（transport stream）デコーダ２６、音声デコーダ２８、映像デコーダ３０、音声合成部３２、提示処理部３４、Ｉ／Ｏ（input/output）アダプタ３６、ＲＡＭ（random access memory）３８、ＲＯＭ（read only memory）４０及びＣＰＵ（central processing unit）４２を備える。
【００３０】
アンテナ１０で受信された信号は、チューナ２２に入力される。チューナ２２は、所望のチャンネルの信号のみを選択して中間周波（ＩＦ）信号として出力する。ＯＦＤＭ復調器２４は、チューナ２２の出力を受けてＯＦＤＭ復調処理を実行する。次いで、ＴＳデコーダ２６は、ＯＦＤＭ復調器２４の出力を受けて音声信号と映像信号とに分離する。音声デコーダ２８は、ＯＦＤＭ復調器２４から出力される音声信号をデコードし、一方、映像デコーダ３０は、ＯＦＤＭ復調器２４から出力される映像信号をデコードする。
【００３１】
さらに、音声合成部３２は、音声デコーダ２８の出力に対して必要な音声合成処理を実施する。音声合成部３２の出力は、スピーカ１４に入力されて音声に変換される。なお、スピーカ１４は、左（Ｌ）チャネルのスピーカと右（Ｒ）チャネルのスピーカとからなる。一方、提示処理部３４は、映像デコーダ３０の出力に対して必要な提示処理を実施する。提示処理部３４の出力は、ディスプレイ１６に入力されて映像に変換される。ＣＰＵ４２は、ＲＯＭ４０に格納されたプログラムに従って、受信機２０の中の各構成要素を制御する。ＲＡＭ３８は、処理過程におけるデータの一時的な記憶場所として使用され、その一部は、バックアップ電源から電力供給を受けて各種設定データ等の保存用に使用される。
【００３２】
図２は、本発明の第１実施形態における処理手順を示すフローチャートである。この第１実施形態は、走行中に文字スーパーインポーズデータを受信した場合にその音声をも読み上げる機能を実現するものである。まず、ステップ２０２では、文字スーパーインポーズデータを受信する。具体的には、ＴＳデコーダ２６が、デコード処理過程において文字スーパーインポーズデータであることを認識すると、そのことがＣＰＵ４２に報告される。ＣＰＵ４２は、その文字スーパーインポーズデータをＲＡＭ３８に格納する。
【００３３】
次いで、ステップ２０４では、文字スーパーインポーズデータが画面合成で表示される。具体的には、ＣＰＵ４２の制御の下、提示処理部３４において、映像デコーダ３０の出力と文字スーパーインポーズデータとが合成されて、ディスプレイ１６に供給されることで、文字スーパーインポーズデータが画面上に表示される。
【００３４】
そして、ステップ２０４では、かかる画面表示とともに文字スーパーインポーズデータを音声として読み上げる処理が行われる。具体的には、ＣＰＵ４２の制御の下、音声合成部３２において、音声デコーダ２８の出力と文字スーパーインポーズデータに係る音声データとが合成されて、スピーカ１４に供給されることで、文字スーパーインポーズデータが音声としても出力される。
【００３５】
図３は、本発明の第２実施形態における処理手順を示すフローチャートである。この第２実施形態は、前述の第１実施形態を改良したものであり、文字スーパーインポーズデータの音声読み上げ時にバックの音声を消して読み上げる機能を実現する。まず、ステップ３０２では、前述のステップ２０２と同様に、文字スーパーインポーズデータを受信する。
【００３６】
次いで、ステップ３０４では、ＣＰＵ４２の制御を受けて、音声デコーダ２８が出力を抑止することにより、バックの音声が消去される。そして、ステップ３０６では、前述のステップ２０４と同様に、文字スーパーインポーズデータを画面合成で表示するとともに文字スーパーインポーズデータを音声として読み上げる処理が行われる。
【００３７】
図４は、本発明の第３実施形態における処理手順を示すフローチャートである。この第３実施形態は、前述の第１実施形態を改良したものであり、文字スーパーインポーズデータが関連地域情報であるときにのみ音声読み上げを実行する機能を実現する。まず、ステップ４０２では、前述のステップ２０２と同様に、文字スーパーインポーズデータを受信する。
【００３８】
次いで、ステップ４０４では、受信された文字スーパーインポーズデータが関連地域情報であるか否かを判定する。具体的には、受信機２０は、居住地の設定ができるように構成されているため、ＣＰＵ４２は、文字スーパーインポーズデータが、予め設定された居住地に関連する情報であるか否かを判断する。
【００３９】
関連地域情報であると判定された場合には、ステップ４０６に進み、前述のステップ２０４と同様に、文字スーパーインポーズデータを画面合成で表示するとともに文字スーパーインポーズデータを音声として読み上げる処理を行う。一方、関連地域情報でないと判定された場合には、ステップ４０８に進み、文字スーパーインポーズデータを画面合成で表示する処理のみを行う。
【００４０】
図５は、本発明の第４実施形態における処理手順を示すフローチャートである。この第４実施形態は、前述の第１実施形態を改良したものであり、関連ジャンル（例えば、地震、台風等）の文字スーパーインポーズデータのみピックアップして音声読み上げを実行する機能を実現する。まず、ステップ５０２では、前述のステップ２０２と同様に、文字スーパーインポーズデータを受信する。
【００４１】
次いで、ステップ５０４では、受信された文字スーパーインポーズデータが関連ジャンル情報であるか否かを判定する。具体的には、受信機２０は、音声読み上げされる必要があるジャンルを設定することができるように構成されているため、ＣＰＵ４２は、文字スーパーインポーズデータが、予め設定されたジャンルに関連する情報であるか否かを判断する。
【００４２】
関連ジャンル情報であると判定された場合には、ステップ５０６に進み、前述のステップ２０４と同様に、文字スーパーインポーズデータを画面合成で表示するとともに文字スーパーインポーズデータを音声として読み上げる処理を行う。一方、関連ジャンル情報でないと判定された場合には、ステップ５０８に進み、文字スーパーインポーズデータを画面合成で表示する処理のみを行う。
【００４３】
図６は、本発明の第５実施形態における処理手順を示すフローチャートである。文字スーパーインポーズデータのヘッダには、その文字が日本語であるか又は英語であるかを示す情報がある。また、文字スーパーインポーズデータが日本語によるデータ及び英語によるデータの両方を含む場合がある。かかる場合、通常、予めされた設定に基づいてどちらか一方の言語によるデータを選択して表示される。しかし、この第５実施形態では、文字スーパーインポーズデータが日本語によるデータ及び英語によるデータを含む場合、当該日本語によるデータ及び英語によるデータの双方を画面合成により表示する機能を実現する。
【００４４】
具体的には、まず、ステップ６０２では、前述のステップ２０２と同様に、文字スーパーインポーズデータを受信する。次いで、ステップ６０４では、受信された文字スーパーインポーズデータが日本語によるデータ及び英語によるデータの双方を含むものであるか否かを判定する。日本語によるデータ及び英語によるデータの双方を含む文字スーパーインポーズデータであると判定された場合には、ステップ６０６に進み、日本語によるデータ及び英語によるデータの双方を画面合成により表示する処理を行う。一方、そのような文字スーパーインポーズデータでないと判定された場合には、ステップ６０８に進み、通常通り、当該文字スーパーインポーズデータを画面合成で表示する処理を行う。
【００４５】
図７は、本発明の第６実施形態における処理手順を示すフローチャートである。この第６実施形態は、前述の第５実施形態を改良したものであり、文字スーパーインポーズデータの表示に連動して、当該文字スーパーインポーズデータを音声読み上げするとともに、当該文字スーパーインポーズデータが日本語によるデータ及び英語によるデータを含む場合、左チャネル又は右チャネルの一方で日本語を読み上げかつ他方で英語を読み上げる機能を実現する。
【００４６】
具体的には、まず、ステップ７０２では、前述のステップ２０２と同様に、文字スーパーインポーズデータを受信する。次いで、ステップ７０４では、受信された文字スーパーインポーズデータが日本語によるデータ及び英語によるデータの双方を含むものであるか否かを判定する。
【００４７】
日本語によるデータ及び英語によるデータの双方を含む文字スーパーインポーズデータであると判定された場合には、ステップ７０６に進み、日本語によるデータ及び英語によるデータの双方を画面合成により表示するとともに、左チャネル又は右チャネルの一方で日本語によるデータを読み上げかつ他方で英語によるデータを読み上げる処理を行う。
【００４８】
一方、そのような文字スーパーインポーズデータでないと判定された場合には、ステップ７０８に進み、前述のステップ２０４と同様に、文字スーパーインポーズデータを画面合成で表示するとともに文字スーパーインポーズデータを音声として読み上げる処理を行う。
【００４９】
図８は、本発明の第７実施形態における処理手順を示すフローチャートである。この第７実施形態は、文字スーパーインポーズデータを受信した際、画面合成により表示するだけでなく、その文字スーパーインポーズデータを蓄積する機能を実現するものである。
【００５０】
まず、ステップ８０２では、前述のステップ２０２と同様に、文字スーパーインポーズデータを受信する。次いで、ステップ８０４では、受信された文字スーパーインポーズデータを、ＲＡＭ３８内の所定の蓄積用エリアに蓄積する処理を実行する。
【００５１】
図９は、本発明の第８実施形態における処理手順を示すフローチャートである。この第８実施形態は、前述の第７実施形態で蓄積された文字スーパーインポーズデータを削除する機能を実現するものである。まず、ステップ９０２では、ユーザが、蓄積された文字スーパーインポーズデータについての所定の削除指示を入力するための操作器１２に対する操作を受け付ける。
【００５２】
これに応じて、ステップ９０４では、ＲＡＭ３８内の蓄積用エリアに蓄積された文字スーパーインポーズデータを削除する。この削除機能は、蓄積された文字スーパーインポーズデータの一部又は全部に対して指示することができるように構成されている。
【００５３】
図１０は、本発明の第９実施形態における処理手順を示すフローチャートである。この第９実施形態は、前述の第７実施形態を改良したものであり、蓄積された文字スーパーインポーズデータをテキストデータとして提示する機能を実現する。まず、ステップ１００２では、前述のステップ２０２と同様に、文字スーパーインポーズデータを受信する。
【００５４】
次いで、ステップ１００４では、受信された文字スーパーインポーズデータを、ＲＡＭ３８内の所定の蓄積用エリアに蓄積する処理を実行する。さらに、ステップ１００６では、蓄積された文字スーパーインポーズデータをテキストデータとして提示する処理を実行する。具体的には、ＣＰＵ４２が、ＲＡＭ３８内の蓄積用エリアに蓄積されたデータを提示処理部３４に送り、ディスプレイ１６に表示させる。
【００５５】
図１１は、本発明の第１０実施形態における処理手順を示すフローチャートである。この第１０実施形態は、前述の第７実施形態を改良したものであり、蓄積された文字スーパーインポーズデータを音声読み上げする機能を実現する。まず、ステップ１１０２では、前述のステップ２０２と同様に、文字スーパーインポーズデータを受信する。
【００５６】
次いで、ステップ１１０４では、受信された文字スーパーインポーズデータを、ＲＡＭ３８内の所定の蓄積用エリアに蓄積する処理を実行する。さらに、ステップ１１０６では、蓄積された文字スーパーインポーズデータを音声として読み上げる処理を実行する。具体的には、ＣＰＵ４２の制御の下、音声合成部３２において、音声デコーダ２８の出力と蓄積された文字スーパーインポーズデータに係る音声データとが合成されて、スピーカ１４に供給されることで、蓄積された文字スーパーインポーズデータが音声として出力される。
【００５７】
図１２は、本発明の第１１実施形態における処理手順を示すフローチャートである。この第１１実施形態は、前述の第７実施形態を改良したものであり、ユーザによって設定されたジャンルの文字スーパーインポーズデータのみを蓄積する機能を実現する。まず、ステップ１２０２では、前述のステップ２０２と同様に、文字スーパーインポーズデータを受信する。
【００５８】
次いで、ステップ１２０４では、受信された文字スーパーインポーズデータが設定ジャンルデータであるか否かを判定する。具体的には、受信機２０は、蓄積されるべきジャンルを設定することができるように構成されているため、ＣＰＵ４２は、文字スーパーインポーズデータが、予め設定されたジャンルのデータであるか否かを判断する。
【００５９】
設定ジャンルデータであると判定された場合には、ステップ１２０６に進み、受信された文字スーパーインポーズデータを、ＲＡＭ３８内の所定の蓄積用エリアに蓄積する処理を実行する。一方、設定ジャンルデータでないと判定された場合には、そのデータを蓄積することなく処理を終了する。
【００６０】
図１３は、本発明の第１２実施形態における処理手順を示すフローチャートである。この第１２実施形態は、前述の第７実施形態を改良したものであり、文字スーパーインポーズデータを蓄積するに際し、ジャンルごとに分類して文字スーパーインポーズデータを蓄積する機能を実現する。
【００６１】
まず、ステップ１３０２では、前述のステップ２０２と同様に、文字スーパーインポーズデータを受信する。次いで、ステップ１３０４において、文字スーパーインポーズデータのジャンルを判断し、ジャンルごとに分類して、ＲＡＭ３８内の所定の蓄積用エリアに保存する。具体的には、受信機２０は、どのようなジャンルに分類されるべきかを設定することができるように構成されているため、ＣＰＵ４２は、その設定に基づいて、文字スーパーインポーズデータの内容がどのジャンルのデータであるかを判断する。
【００６２】
図１４は、本発明の第１３実施形態における処理手順を示すフローチャートである。この第１３実施形態は、前述の第７実施形態を改良したものであり、文字スーパーインポーズデータを蓄積するに際し、日時情報を付加して文字スーパーインポーズデータを蓄積する機能を実現する。まず、ステップ１４０２では、前述のステップ２０２と同様に、文字スーパーインポーズデータを受信する。
【００６３】
次いで、ステップ１４０４では、受信された文字スーパーインポーズデータを、ＲＡＭ３８内の所定の蓄積用エリアに蓄積する処理を実行する。さらに、ステップ１４０６において、ＣＰＵ４２は、受信機２０内のタイマーを参照することにより、蓄積されたデータに対し、付加データとして日時情報を付与する処理を実行する。
【００６４】
図１５は、本発明の第１４実施形態における処理手順を示すフローチャートである。この第１４実施形態は、前述の第７実施形態を改良したものであり、文字スーパーインポーズデータを蓄積するに際し、有効期限情報を付加して文字スーパーインポーズデータを蓄積する機能を実現する。まず、ステップ１５０２では、前述のステップ２０２と同様に、文字スーパーインポーズデータを受信する。
【００６５】
次いで、ステップ１５０４では、受信された文字スーパーインポーズデータを、ＲＡＭ３８内の所定の蓄積用エリアに蓄積する処理を実行する。さらに、ステップ１５０６では、付加データとして有効期限情報を付与する処理を実行する。具体的には、受信機２０は、どのくらいの長さの期間、保存すべきか、を設定することができるように構成されているため、ＣＰＵ４２は、その設定と蓄積時点の日時とに基づき文字スーパーインポーズデータに対する有効期限情報を作成して付与する。
【００６６】
図１６は、本発明の第１５実施形態における処理手順を示すフローチャートである。この第１５実施形態は、前述の第１４実施形態に付随して、蓄積された文字スーパーインポーズデータのうち有効期限が過ぎたものを自動的に削除する機能を実現する。
【００６７】
まず、ステップ１６０２では、蓄積された文字スーパーインポーズデータのうち有効期限が切れているものがあるか否かをチェックする。具体的には、ＣＰＵ４２は、文字スーパーインポーズデータに付与された有効期限情報と現在の日時とを照らし合わせることにより、有効期限切れかどうかをチェックする。
【００６８】
ステップ１６０２において、有効期限切れのデータがあると判定された場合には、ステップ１６０４に進み、ＲＡＭ３８内の蓄積用エリアから対象データを削除する。一方、有効期限内のデータについては、そのまま保存する。
【００６９】
図１７は、本発明の第１６実施形態における処理手順を示すフローチャートである。この第１６実施形態は、前述の第１４実施形態に付随して、蓄積された文字スーパーインポーズデータのうち有効期限が過ぎたものについてその存在をユーザに報知する機能を実現する。
【００７０】
まず、ステップ１７０２では、前述のステップ１６０２と同様に、蓄積された文字スーパーインポーズデータのうち有効期限が切れているものがあるか否かをチェックする。ステップ１７０２において有効期限切れのデータがあると判定された場合には、ステップ１７０４において、例えば、ディスプレイ１６に表示することにより、当該有効期限切れのデータの存在をユーザに報知する処理を実行する。一方、有効期限内のデータについては、報知しない。
【００７１】
図１８は、本発明の第１７実施形態における処理手順を示すフローチャートである。この第１７実施形態は、前述の第７実施形態に付随して、蓄積された文字スーパーインポーズデータに対しキーワードに基づいて検索する機能を実現する。
【００７２】
まず、ステップ１８０２では、蓄積された文字スーパーインポーズデータについてキーワードによる検索を指示する、操作器１２に対するユーザ操作を受け付ける。これに応じて、ステップ１８０４において、ＣＰＵ４２は、ＲＡＭ３８内の各データについて、そのデータが指定されたキーワードを含むものであるかどうかを判定し、その結果を、例えば、ディスプレイ１６に表示する。
【００７３】
図１９は、本発明の第１８実施形態における処理手順を示すフローチャートである。ユーザから見て、文字スーパーインポーズと同様のデータとして字幕が存在する。かかる場合、ユーザは、文字スーパーインポーズについての設定と、字幕についての設定と、をともに実施しなければならないという煩雑さが存在する。この第１８実施形態は、文字スーパーインポーズ又は字幕の一方について設定がなされて記憶される場合に、連動して他方についても同一の設定が記憶されるようにする機能を実現する。
【００７４】
まず、ステップ１９０２では、文字スーパーインポーズ又は字幕について所定の設定をする、操作器１２に対するユーザ操作を受け付けたか否かを判定する。そのような設定操作を受け付けた場合には、ステップ１９０４に進み、その設定内容をＲＡＭ３８に記憶するとともに、その設定に連動して、文字スーパーインポーズ又は字幕の他方についても同一の設定内容をＲＡＭ３８に記憶する。なお、かかる設定としては、文字スーパーインポーズや字幕を表示するか又は表示しないかの区別、日本語で表示するか又は英語で表示するかの区別、等がある。
【００７５】
図２０は、本発明の第１９実施形態における処理手順を示すフローチャートである。車載用デジタルテレビジョン放送受信機では、ディスプレイがデジタルテレビジョン放送受信内容を提示するモードにない場合、例えば、ディスプレイがナビゲーションシステム１８によって占有されている場合には、受信機２０が文字スーパーインポーズデータを受信しても、それを表示することができない。この第１９実施形態は、ディスプレイがデジタルテレビジョン放送受信内容を提示するモードにない場合において、文字スーパーインポーズデータが受信されたとき、ディスプレイに対して文字スーパーインポーズデータを割り込み表示させる機能を実現する。
【００７６】
まず、ステップ２００２では、ディスプレイがデジタルテレビジョン放送受信内容を提示するモードにない状態において、文字スーパーインポーズデータを受信したか否かを判定する。かかる受信処理がされた場合には、ステップ２００４に進み、ディスプレイ１６における現在の表示処理に割り込んで、受信された文字スーパーインポーズデータを表示させる処理を実行する。具体的には、現在、ディスプレイ１６を占有している装置に対して処理を中止するように要求してもよいし、あるいはその装置に表示を依頼してもよい。
【００７７】
図２１は、本発明の第２０実施形態における処理手順を示すフローチャートである。文字スーパーインポーズデータのヘッダには、文字サイズに関する情報が含まれている。しかし、ディスプレイ１６のサイズによっては、指定された文字サイズで表示することが必ずしも好ましくない場合がある。そこで、この第２０実施形態は、受信された文字スーパーインポーズデータを、ディスプレイサイズに応じて文字の大きさを自動調整しつつ画面合成により表示する機能を実現する。
【００７８】
まず、ステップ２１０２では、前述のステップ２０２と同様に、文字スーパーインポーズデータを受信する。次いで、ステップ２１０４では、ディスプレイ１６のサイズを調査する。具体的には、受信機２０に現在の接続されているディスプレイ１６のサイズが予めＲＡＭ３８に記憶されているため、ＣＰＵ４２がその内容を検索することとなる。そして、ステップ２１０６では、ディスプレイサイズの調査結果に基づいて提示文字サイズを調整する。具体的には、ＣＰＵ４２が、提示処理部３４に対し、合成処理されるべき文字スーパーインポーズデータの文字サイズを指示する。
【図面の簡単な説明】
【００７９】
【図１】本発明によるデジタルテレビジョン放送受信機のハードウェア構成例をその周辺機器とともに示すブロック図である。
【図２】本発明の第１実施形態における処理手順を示すフローチャートである。
【図３】本発明の第２実施形態における処理手順を示すフローチャートである。
【図４】本発明の第３実施形態における処理手順を示すフローチャートである。
【図５】本発明の第４実施形態における処理手順を示すフローチャートである。
【図６】本発明の第５実施形態における処理手順を示すフローチャートである。
【図７】本発明の第６実施形態における処理手順を示すフローチャートである。
【図８】本発明の第７実施形態における処理手順を示すフローチャートである。
【図９】本発明の第８実施形態における処理手順を示すフローチャートである。
【図１０】本発明の９第実施形態における処理手順を示すフローチャートである。
【図１１】本発明の第１０実施形態における処理手順を示すフローチャートである。
【図１２】本発明の第１１実施形態における処理手順を示すフローチャートである。
【図１３】本発明の第１２実施形態における処理手順を示すフローチャートである。
【図１４】本発明の第１３実施形態における処理手順を示すフローチャートである。
【図１５】本発明の第１４実施形態における処理手順を示すフローチャートである。
【図１６】本発明の第１５実施形態における処理手順を示すフローチャートである。
【図１７】本発明の第１６実施形態における処理手順を示すフローチャートである。
【図１８】本発明の第１７実施形態における処理手順を示すフローチャートである。
【図１９】本発明の第１８実施形態における処理手順を示すフローチャートである。
【図２０】本発明の第１９実施形態における処理手順を示すフローチャートである。
【図２１】本発明の第２０実施形態における処理手順を示すフローチャートである。
【符号の説明】
【００８０】
１０    アンテナ
１２    操作器（リモコン等）
１４    スピーカ
１６    ディスプレイ
１８    ナビゲーションシステム
２０    デジタルテレビジョン放送受信機
２２    チューナ
２４    ＯＦＤＭ復調器
２６    ＴＳ（transport stream）デコーダ
２８    音声デコーダ
３０    映像デコーダ
３２    音声合成部
３４    提示処理部
３６    Ｉ／Ｏ（input/output）アダプタ
３８    ＲＡＭ（random access memory）
４０    ＲＯＭ（read only memory）
４２    ＣＰＵ（central processing unit）
【図１】
2007081930.tif 000003
【図２】
2007081930.tif 000004
【図３】
2007081930.tif 000005
【図４】
2007081930.tif 000006
【図５】
2007081930.tif 000007
【図６】
2007081930.tif 000008
【図７】
2007081930.tif 000009
【図８】
2007081930.tif 000010
【図９】
2007081930.tif 000011
【図１０】
2007081930.tif 000012
【図１１】
2007081930.tif 000013
【図１２】
2007081930.tif 000014
【図１３】
2007081930.tif 000015
【図１４】
2007081930.tif 000016
【図１５】
2007081930.tif 000017
【図１６】
2007081930.tif 000018
【図１７】
2007081930.tif 000019
【図１８】
2007081930.tif 000020
【図１９】
2007081930.tif 000021
【図２０】
2007081930.tif 000022
【図２１】
2007081930.tif 000023